【手続補正書】
【提出日】令和3年10月13日(2021.10.13)
【手続補正１】
【補正対象書類名】特許請求の範囲
【補正対象項目名】請求項１
【補正方法】変更
【補正の内容】
【請求項１】
インクジェットデジタル印刷方法にてワーク（６）に印刷するための回転テーブルデジタル印刷機であって、
ワーク回転テーブル（３）が回転軸（２）を中心に回転可能に取り付けられる装置枠（３０）を有し、
前記ワーク回転テーブル（３）は、同一の角度ピッチで且つ前記回転軸（２）から同一の距離で全て配置される複数のワークキャリア（４）を備え、
駆動装置は、回転ステップ移動を実現するために前記ワーク回転テーブル（３）に割り当てられ、
前記装置枠（３０）は、ワーク（６）の加工用に構成されたワークステーション（８〜１８）を受けるように設計された少なくとも１つの保持枠（３４）を有し、
前記ワークステーション（８〜１８）のうち少なくとも１つは、前記保持枠（３４）に取り付けられ、且つ、ワーク（６）に印刷するための印刷ユニット（２１）として設計され、
前記印刷ユニット（２１）は、インク装置（４３）と印刷ヘッドモジュール（４９）とを受けるように設計され、且つ、前記保持枠（３４）と関連する印刷ユニットレセプタクル（４０）と連結するように設計される印刷ユニットインターフェース（３７）を有する、支持枠（３８）を有し、
前記支持枠（３８）は、印刷ヘッドモジュール（４９）に連結するように構成される印刷ヘッドインターフェース（４４）を有し、
ワーク（６）上に、インク液滴を印刷方向（２８）に分注するように構成され、且つ、印刷ヘッドキャリア（５０）と前記印刷ヘッドキャリア（５０）に固定される少なくとも1つの印刷ヘッド（２２、２３、２４）とを有するように構成される、印刷ヘッドモジュール（４９）を更に有し、
前記印刷ヘッドモジュール（４９）にインクを供給するように構成されるインク装置（４３）を更に有し、
前記印刷ヘッドキャリア（５０）は、前記印刷ヘッドインターフェース（４４）に連結するように構成されたキャリアインターフェース（５１、５２、５３）を有し、
前記印刷ユニットレセプタクル（４０）と、前記印刷ユニットインターフェース（３７）と、前記インク装置（４３）と、前記印刷ヘッドインターフェース（４４）と、前記キャリアインターフェース（５１、５２、５３）と、前記印刷ヘッドモジュール（４９）とは、前記印刷方向（２８）に沿って延在する列配置で配置される、
回転テーブルデジタル印刷機。
【手続補正２】
【補正対象書類名】特許請求の範囲
【補正対象項目名】請求項６
【補正方法】変更
【補正の内容】
【請求項６】
前記インク装置（４３）は、制御装置（６９）と、インク供給用の色管（７５）と、前記印刷ヘッドモジュール（４９）へのインク排出用の排出管（７０）とを有し、
前記色管（７５）と前記排出管（７０）は、前記排出管（７０）内のインク体積流量に影響を及ぼすように設計されるバルブ装置（６８）に接続され、
前記制御装置（６９）は、前記バルブ装置（６８）及び／又は少なくとも１つの前記印刷ヘッド（２２、２３、２４）を制御するように設計される、
請求項１〜５のうちいずれか一項に記載の回転テーブルデジタル印刷機。
【手続補正３】
【補正対象書類名】特許請求の範囲
【補正対象項目名】請求項１５
【補正方法】変更
【補正の内容】
【請求項１５】
回転テーブルデジタル印刷機（１）で使用する印刷ユニットであって、
インク装置（４３）と印刷ヘッドモジュール（４９）とを受けるように構成される支持枠（３８）を有し、
前記支持枠（３８）は、回転テーブルデジタル印刷機（１）の印刷ユニットレセプタクル（４０）に連結するように構成される印刷ユニットインターフェース（３７）を有し、
前記支持枠（３８）は、印刷ヘッドモジュール（４９）に連結するように設計される印刷ヘッドインターフェース（４４）と、印刷対象（６）に対し印刷方向（２８）においてインク液滴を分注するように構成され、且つ、印刷ヘッドキャリア（５０）と前記印刷ヘッドキャリア（５０）に固定される少なくとも1つの印刷ヘッド（２２、２３、２４）とを有する、印刷ヘッドモジュール（４９）と、前記印刷ヘッドモジュール（４９）に印刷インクを供給するように構成されたインク装置（４３）と、を有し、前記インク装置（４３）は、インク供給用の色管（７５）と、インク排出用の排出管（７０）と、を有し、
前記色管（７５）と前記排出管（７０）は、前記排出管（７０）内のインク体積流量に影響を及ぼすように設計されるバルブ装置（６８）に接続され、
前記印刷ヘッドキャリア（５０）は、前記印刷ヘッドインターフェース（４４）に連結するように構成されるキャリアインターフェース（５１、５２、５３）を有し、
前記印刷ユニットインターフェース（３７）と、前記インク装置（４３）と、前記印刷ヘッドインターフェース（４４）と、前記キャリアインターフェース（５１、５２、５３）と、前記印刷ヘッドモジュール（４９）とは、前記印刷方向（２８）に沿って連続的に配置される、
回転テーブルデジタル印刷機（１）で使用する印刷ユニット。
【手続補正４】
【補正対象書類名】明細書
【補正対象項目名】００３０
【補正方法】変更
【補正の内容】
【００３０】
ワーク回転テーブル３は、角度Ｗの回転ステップ移動により、各ワークステーション８〜１８にて筒状ワーク６の段階的処理を実施する。つまり、対のワークキャリア４は、各ワークステーション８〜１８のうちの１つに対向する位置から各次のワークステーション８〜１８に対向する位置に運搬される。この場合、回転ステップ移動は、停止から目標速度までの加速と、到達した目標速度から停止までの減速と、その後の中断時間と、が一連で行われる。好ましくは、図示はされていないが、ワーク回転テーブル３の駆動は、ワーク回転テーブル３の加減速と中断時間が、広い範囲で完全に調整可能であり、且つ、ワークステーション８〜１８での各筒状ワーク６の加工要件に適合し得るように設計される。更に、ワーク回転テーブル３の駆動は、ワークキャリア４が中間ステップを実行できるように制御できる。中間ステップは、図１ａに模式的に図示されているように、ワークステーション８〜１８の間の、ステップサイズＷ／２での回転ステップ移動にて、ワークステーション８〜１８の清掃又は他のメンテナンスに用いられ得る。これは、例えば、印刷ヘッド２２、２３、２４の清掃のために重要である。
【手続補正５】
【補正対象書類名】明細書
【補正対象項目名】００４３
【補正方法】変更
【補正の内容】
【００４３】
図３において、支持板３４に対する印刷ユニットレセプタクル４０の設置が図示される。例えば、印刷ユニットレセプタクル４０は、弾性蛇腹４１によって囲まれた調整手段（図示無し）を介して保持板４２に連結され、保持板４２が、保持枠として機能する支持板３４に接続される。印刷ユニットレセプタクル４０と保持板４２との間に配置される調整手段により、保持板４２に対する印刷ユニットレセプタクル４０の相対空間的位置の調整が可能となる。この調整手段は、特に、手動で調整可能な調整スピンドルと、電動直線駆動装置と、ワークキャリア４に対する印刷ユニットレセプタクル４０とそこに収容された印刷ユニット２１の正確なアライメントを可能にする電動回転駆動装置と、のグループから形成される。例えば、この調整手段（図示無し）によって、垂直方向及び水平方向に向けられた矢印と記号的な矢の後端及び矢の先端によって図示されているように、３つの互いに直交する空間的な方向における直線的な変位が可能となる。更には、例えば、この調整手段（図示無し）により、カーブした双方向矢印によって象徴されるように、互いに直交して向けられた３つの軸周りでの枢動運動が可能となる。
【手続補正６】
【補正対象書類名】明細書
【補正対象項目名】００４４
【補正方法】変更
【補正の内容】
【００４４】
図３の模式図より、印刷ユニット２１の構成要素の機械的インターフェースと周辺構成要素によって、単に例示的に、互いに平行に、且つ、一つながりの列配置に沿って、配置されたいくつかのインターフェース面８０〜８４が決定されることが分かる。インターフェース面８０〜８４は、ワークキャリア４により定義されるワーク面６１に平行であるようにする。色処理モジュール５６が、その下側により、垂直方向で一番上であり、且つ、図３には図示されていない支持板３４の上側に相当する、インターフェース面８０を決定する。図３には図示されていない支持板３４の下側に相当するインターフェース面８１は、印刷ユニットレセプタクル４０の保持板４２を固定するためのものである。インターフェース面８２は、印刷ユニットレセプタクル４０と印刷ユニット２１との間の面を意味する。